(57)【要約】 売り場専用端末のディスプレイアセンブリが提供される。上記ディスプレイアセンブリは、液晶ディスプレイと、液晶ディスプレイの上に配置されたタッチスクリーンとを有する。上記ディスプレイアセンブリはまた、タッチスクリーンに隣接して配置された、視角が制御されたデバイスをも有する。上記視角が制御されたでばいすは、液晶ディスプレイが視覚され得る視角を、限定された範囲の視角に制限するように構成されている。上記視覚が制御されたデバイスは、典型的には、調光フィルムを含み、または、ハーフミラー塗工されている。
2007516479.tif 000002
【特許請求の範囲】
【請求項１】
売り場専用端末のディスプレイアセンブリであって、
液晶ディスプレイと、
該液晶ディスプレイの上に配置されたタッチスクリーンと、
該タッチスクリーンに隣接して配置された、視角が制御されたデバイスと
を含み、
該視角が制御されたデバイスは、該液晶ディスプレイが視覚され得る視角を、限定された範囲の視角に制限するように構成されている、
ディスプレイアセンブリ。
【請求項２】
前記視角が制御されたデバイスは、前記タッチスクリーンと一体化している、請求項１に記載の売り場専用端末のディスプレイアセンブリ。
【請求項３】
前記視角が制御されたデバイスは、前記液晶ディスプレイと一体化している、請求項１に記載の売り場専用端末のディスプレイアセンブリ。
【請求項４】
前記視角が制御されたデバイスは、機械的な留め具によって、前記液晶ディスプレイと前記タッチスクリーンのうちの少なくとも一方に取り付けられている、請求項１に記載の売り場専用端末のディスプレイアセンブリ。
【請求項５】
前記機械的な留め具は、ねじ、ブラケット、クランプ、接着剤、および接着テープのうちの少なくとも１つを含む、請求項４に記載の売り場専用端末のディスプレイアセンブリ。
【請求項６】
前記視角が制御されたデバイスは、前記液晶ディスプレイと前記タッチスクリーンとの間に置かれている、請求項１に記載の売り場専用端末のディスプレイアセンブリ。
【請求項７】
前記視角が制御されたデバイスは、調光フィルムを含む、請求項６に記載の売り場専用端末のディスプレイアセンブリ。
【請求項８】
前記視角が制御されたデバイスは、ハーフミラー塗工され、前記タッチスクリーンの上に配置されている、請求項１に記載の売り場専用端末のディスプレイアセンブリ。
【請求項９】
前記限定された範囲の視角は、約２５°≦α≦９０°の範囲の視角αを含む、請求項１に記載の売り場専用端末のディスプレイアセンブリ。
【請求項１０】
前記限定された範囲の視角は、約３５°≦α≦９０°の範囲の視角αを含む、請求項９に記載の売り場専用端末のディスプレイアセンブリ。
【請求項１１】
前記限定された範囲の視角は、約４５°≦β≦９０°および約２７０°≦β≦３１５°の範囲のうちの１つにある位置角βから前記ディスプレイが視覚されているとき、約３５°≦α≦９０°の範囲の視角αを含み、βは前記ディスプレイアセンブリの平面において、および、該ディスプレイアセンブリに直交する軸の回りで測定される、請求項１に記載の売り場専用端末のディスプレイアセンブリ。
【請求項１２】
前記限定された範囲の視角は、約９０°≦β≦２７０°の範囲の位置角βから前記ディスプレイが視覚されているとき、約４０°≦α≦９０°の範囲の視角αを含み、βは前記ディスプレイアセンブリの平面において、および、該ディスプレイアセンブリに直交する軸の回りで測定される、請求項１に記載の売り場専用端末のディスプレイアセンブリ。
【請求項１３】
売り場専用端末のディスプレイデバイスであって、
該ディスプレイデバイスは、外周を有しており、
該ディスプレイデバイスは、
液晶ディスプレイと、
該液晶ディスプレイの上に配置されたタッチスクリーンと、
該液晶ディスプレイの上に配置された、視角が制御されたデバイスと
を含み、
該視角が制御されたデバイスは、該ディスプレイデバイスの外周のうちの少なくとも一部のまわりで、該液晶ディスプレイが視覚され得る角度を制限するように構成されている、
ディスプレイデバイス。
【請求項１４】
前記視角が制御されたデバイスは、前記タッチスクリーンと一体化している、請求項１３に記載の売り場専用端末のディスプレイデバイス。
【請求項１５】
前記視角が制御されたデバイスは、前記液晶ディスプレイと一体化している、請求項１３に記載の売り場専用端末のディスプレイデバイス。
【請求項１６】
前記視角が制御されたデバイスは、機械的な留め具によって、前記液晶ディスプレイと前記タッチスクリーンのうちの少なくとも一方に取り付けられている、請求項１３に記載の売り場専用端末のディスプレイデバイス。
【請求項１７】
前記機械的な留め具は、ねじ、ブラケット、クランプ、接着剤、および接着テープのうちの少なくとも１つを含む、請求項１６に記載の売り場専用端末のディスプレイデバイス。
【請求項１８】
前記視角が制御されたデバイスは、前記液晶ディスプレイと前記タッチスクリーンとの間に置かれている、請求項１３に記載の売り場専用端末のディスプレイデバイス。
【請求項１９】
前記視角が制御されたデバイスは、調光フィルムを含む、請求項１８に記載の売り場専用端末のディスプレイデバイス。
【請求項２０】
前記視角が制御されたデバイスは、ハーフミラー塗工され、前記タッチスクリーンの上に配置されている、請求項１３に記載の売り場専用端末のディスプレイデバイス。
【請求項２１】
前記視角が制御されたデバイスは、前記液晶ディスプレイが視覚され得る角度αを、約２５°≦α≦９０°の範囲に制限する、請求項１３に記載の売り場専用端末のディスプレイデバイス。
【請求項２２】
前記視角が制御されたデバイスは、前記液晶ディスプレイが視覚され得る角度αを、約３５°≦α≦９０°の範囲に制限する、請求項２１に記載の売り場専用端末のディスプレイデバイス。
【請求項２３】
前記ディスプレイデバイスの外周は、少なくとも２つの横方向境界面を有し、
前記視角が制御されたデバイスは、該ディスプレイデバイスが該少なくとも２つの横方向境界面のうちの１つに隣接した位置から視覚されているとき、前記液晶ディスプレイが視覚され得る角度αを、約３５°≦α≦９０°の範囲に制限する、請求項１３に記載の売り場専用端末のディスプレイデバイス。
【請求項２４】
前記ディスプレイデバイスの外周は、少なくとも１つの後方向境界面を有し、
該視角が制御されたデバイスは、該ディスプレイデバイスが該少なくとも１つの後方向境界面に隣接した位置から視覚されているとき、前記液晶ディスプレイが視覚され得る角度αを、約４０°≦α≦９０°の範囲に制限する、請求項１３に記載の売り場専用端末のディスプレイデバイス。
【請求項２５】
コンピュータデバイスと、
該コンピュータデバイスに動作可能なように連結された、ディスプレイアセンブリと
を含み、
該ディスプレイアセンブリは、該ディスプレイアセンブリにタッチすることによって、該コンピュータデバイスにデータを入力することが可能なように構成されており、
該ディスプレイアセンブリは、該ディスプレイアセンブリが視覚され得る角度を、限定された範囲の視角に制限するように構成されている、
売り場専用の取引端末。
【請求項２６】
前記ディスプレイアセンブリは、
液晶ディスプレイと、
該液晶ディスプレイの上に配置されたタッチスクリーンと、
該タッチスクリーンに隣接して配置された、視角が制御されたデバイスと
を含み、
該視角が制御されたデバイスは、該液晶ディスプレイが限定された範囲の視角で視覚されることを許容するように構成されている、
請求項２５に記載の売り場専用の取引端末。
【請求項２７】
前記視角が制御されたデバイスは、前記タッチスクリーンと一体化している、請求項２６に記載の売り場専用の取引端末。
【請求項２８】
前記視角が制御されたフィルムは、機械的な留め具によって、前記液晶ディスプレイと前記タッチスクリーンのうちの少なくとも一方に取り付けられている、請求項２６に記載の売り場専用の取引端末。
【請求項２９】
前記視角が制御されたフィルムは、前記液晶ディスプレイと前記タッチスクリーンとの間に置かれている、請求項２６に記載の売り場専用の取引端末。
【請求項３０】
前記視角が制御されたフィルムは、調光フィルムを含む、請求項２９に記載の売り場専用の取引端末。
【請求項３１】
前記視角が制御されたフィルムは、ハーフミラー塗工を含み、前記タッチスクリーンの上に配置されている、請求項２６に記載の売り場専用の取引端末。
【請求項３２】
前記限定された範囲の視角は、約２５°≦α≦９０°の範囲の視角αを含む、請求項２５に記載の売り場専用の取引端末。
【請求項３３】
前記限定された範囲の視角は、約３５°≦α≦９０°の範囲の視角αを含む、請求項３２に記載の売り場専用の取引端末。
【請求項３４】
前記限定された範囲の視角は、約４５°≦β≦９０°および約２７０°≦β≦３１５°の範囲のうちの１つにある位置角βから前記ディスプレイアセンブリが視覚されているとき、約３５°≦α≦９０°の範囲の視角αを含み、βは該ディスプレイアセンブリの平面において、および、該ディスプレイアセンブリに直交する軸の回りで測定される、請求項２５に記載の売り場専用の取引端末。
【請求項３５】
前記限定された範囲の視角は、約９０°≦β≦２７０°の範囲の位置角βから前記ディスプレイアセンブリが視覚されているとき、約４０°≦α≦９０°の範囲の視角αを含み、βは該ディスプレイアセンブリの平面において、および、該ディスプレイアセンブリに直交する軸の回りで測定される、請求項２５に記載の売り場専用の取引端末。
【請求項３６】
売り場専用端末のディスプレイアセンブリを製造する方法であって、該方法は、
液晶ディスプレイを提供するステップと、
該液晶ディスプレイの上にタッチスクリーンを配置するステップと、
該液晶ディスプレイの上に視角が制御されたデバイスを配置するステップと
を含み、
該視角が制御されたデバイスは、該液晶ディスプレイが視覚され得る視角を、限定された範囲の視角に制限する、
方法。
【請求項３７】
前記視角が制御されたデバイスは、前記タッチスクリーンと一体化しており、
前記液晶ディスプレイの上に前記タッチスクリーンを配置する前記ステップと、前記液晶ディスプレイの上に前記視角が制御されたデバイスを配置する前記ステップとが、同時に実行される、
請求項３６に記載の方法。
【請求項３８】
前記液晶ディスプレイと、前記視角が制御されたデバイスと、前記タッチスクリーンとを取り付けるステップとをさらに含む、請求項３６に記載の方法。
【請求項３９】
前記液晶ディスプレイと、前記視角が制御されたデバイスと、前記タッチスクリーンとを取り付ける前記ステップが、機械的な留め具を用いて、該液晶ディスプレイと、該視角が制御されたデバイスと、該タッチスクリーンとを取り付けるステップを含む、請求項３８に記載の方法。
【請求項４０】
前記機械的な留め具を用いて、前記液晶ディスプレイと、前記視角が制御されたデバイスと、前記タッチスクリーンとを取り付ける前記ステップが、ねじ、ブラケット、クランプ、接着剤、接着テープのうちの少なくとも１つを用いて、該液晶液晶ディスプレイと、該視角が制御されたデバイスと、該タッチスクリーンとを取り付けるステップを含む、請求項３９に記載の方法。
【請求項４１】
前記液晶ディスプレイの上に前記視角が制御されたデバイスを配置する前記ステップが、該視角が制御されたデバイスを該液晶ディスプレイと該タッチスクリーンとの間に置くステップを含む、請求項３６に記載の方法。
【請求項４２】
前記液晶ディスプレイの上に前記視角が制御されたデバイスを配置する前記ステップが、前記タッチスクリーンの上に該視角が制御されたデバイスを配置するステップを含む、請求項３６に記載の方法。
【請求項４３】
前記液晶ディスプレイの上に視角が制御されたデバイスを配置する前記ステップが、該液晶ディスプレイが視覚され得る視角αを２５°≦α≦９０°の範囲に制限する、視角が制御されたデバイスを配置するステップを含む、請求項３６に記載の方法。
【請求項４４】
前記液晶ディスプレイの上に視角が制御されたデバイスを配置する前記ステップが、該液晶ディスプレイが視覚され得る視角αを３５°≦α≦９０°の範囲に制限する、視角が制御されたデバイスを配置するステップを含む、請求項４３に記載の方法。
【発明の詳細な説明】
【技術分野】
【０００１】
一般に、本発明は、支払い取引で用いられるデータキャプチャシステムに関し、特に、視角が制御されるディスプレイを有した、売り場専用または接客専用（ＰＯＳ；ｐｏｉｎｔ−ｏｆ−ｓａｌｅ，ｐｏｉｎｔ−ｏｆ−ｓｅｒｖｉｃｅ）の取引端末に関係する。
【背景技術】
【０００２】
従来より、売り場での取引を容易にする専用のシステムが知られており、特に、ほとんどの先進国の消費者にとっては、慣れ親しんできたものである。そのようなシステムは、概して、消費者（またはユーザ）が購入の支払いを行なう際、または、預金を引き落とす際に、消費者のクレジットカードまたはデビットカードと連動して使用される。図１は、売り場専用および／または接客専用（「ＰＯＳ」）の、従来の取引端末１００を示している。ＰＯＳ取引端末１００は、典型的には、動作可能なようにディスプレイ１０４に連結された、ＣＰＵのような取引用のコンピュータ１０２を含んでいる。
【０００３】
従来のクレジットカードまたはデビットカードを用いた場合、購入または預金の際、ＰＯＳ端末１００の磁気ストライプ読取り器１０６の間をカードが通過し、磁気ストライプ上の暗号化された情報が読取られる。安全性を向上させるため、消費者は、典型的には、なんらかの人物識別番号（「ＰＩＮ」）、または、個人の署名を入力することが要求される。これにより、上記消費者が本当に認証されたカードの所有者であるか否かについての確認が補助される。概して、ＰＯＳ端末のディスプレイ１０４を用いて入力が行なわれる。ディスプレイ１０４は、典型的には、バーチャルな（例えば、表示された）キーボードインターフェース、署名キャプチャインターフェース、または、タッチパッドと液晶ディスプレイ（「ＬＣＤ」）との組み合わせによって形成されるその他のデータキャプチャインターフェースを有する。ディスプレイ１０４は、受動様式であり、ペン１０８からの圧力またはタッチ、あるいは、消費者の指または指の爪からの圧力またはタッチ、あるいは、その他の物体からの圧力またはタッチに応答し得る。
【０００４】
図２を参照する。代替的に、ＰＯＳ端末は、ＣＰＵのようなコンピュータデバイスに接続されたＰＩＮ入力ディスプレイ２０２を含んだ、より単純なピン入力デバイス（「ＰＥＤ」）２００を含み得る。ＰＩＮ入力ディスプレイ２０２は、典型的には、タッチパッドとＬＣＤとの組み合わせによって形成されたバーチャルなキーボードインターフェースを有する。この実施形態において、消費者のクレジットカードまたはデビットカードは、動作可能なようにＰＥＤ２００に接続されたキャッシュレジスタのような、別のデバイス（図示せず）の磁気ストライプ読み取り器を通過し得る。その後、消費者は、ＰＥＤ２００によって、例えばＬＣＤディスプレイ２０４を介することにより、または、プロダクトプロバイダまたはサービスプロバイダによって、ＰＩＮに入力するように促される。消費者は、ＰＩＮ入力ディスプレイ２０２のバーチャルキーをタッチするか押すことにより、ＰＩＮに入力することができる。
【０００５】
消費者が上記のような個人情報の入力を行っている間に、ＰＯＳ端末ディスプレイ１４またはＰＩＮ入力ディスプレイ２０２をある角度から視覚することが可能な見物人により、個人情報が盗難の対象となり得る。図３は、ＰＩＮ入力デバイス２００のようなＰＯＳ端末のまわりの、見物人がＰＩＮエントリ２０２を視覚するように位置することが可能な、様々な位置を示している。上記見物人の位置は、ＰＩＮ入力ディスプレイ２０２の「５」のキーを中心として位置角βを有しているとして測定され得る。ＰＩＮ入力デバイス２００を用いている消費者は、典型的には、ＰＩＮ入力ディスプレイ２０２に面し、約０°の位置角βを有して立っている。消費者の背後に立っている見物人等は、消費者によって視界が遮られるため、ＰＩＮ入力ディスプレイ２０２を視覚することができない。しかしながら、見物人がＰＩＮ入力デバイス２００の横側、例えば、位置角βが約４５°〜１３５°または約２２５°〜３１５°の位置にいるような場合、または、見物人が消費者に向かって立っているとき、例えば、位置角βが約１３５°〜２２５°の位置にいるような場合、見物人は、消費者がＰＩＮを入力している際に、ＰＩＮ入力ディスプレイ２０２を視覚することが可能であり得る。
【０００６】
ＰＯＳ取引の安全性を向上させるため、従来のＰＯＳ端末は、端末または端末のディスプレイのまわりに配置された機械的な遮蔽物を含み、端末ディスプレイが視覚され得る角度を制限していた。しかしながら、そのような機械的な遮蔽物は、ＰＯＳ端末のコストを増加させる可能性があった。加えて、そのような機械的な遮蔽物は、消費者によるデータの入力を妨げる可能性があった。
【０００７】
したがって、ディスプレイが視覚され得る角度を制限するＰＯＳ端末ディスプレイを提供することが所望される。加えて、制限された視角を有するディスプレイを用いたＰＯＳ端末を提供することもまた、所望される。さらに、本発明に関して所望されるその他の特徴と特性とが、付随された図面と本発明に関する背景とを参酌することにより、以下に続く本発明の詳細な記述と添付の請求項とから、理解され得る。
【発明の開示】
【課題を解決するための手段】
【０００８】
（発明の要約）
本発明に関する例示的な実施形態により、売り場専用端末のディスプレイアセンブリが提供される。上記ディスプレイアセンブリは、液晶ディスプレイと、液晶ディスプレイの上に配置されたタッチスクリーンとを含む。視角が制御されたデバイスが、上記タッチスクリーンに隣接して配置される。視角が制御されたデバイスは、上記液晶ディスプレイが視覚され得る視角を、限定された範囲の視角に制限する。
【０００９】
本発明の別の実施形態によれば、外周を有した、売り場専用端末のディスプレイデバイスが提供される。上記ディスプレイデバイスは、液晶ディスプレイと、上記液晶ディスプレイの上に配置されたタッチスクリーンとを含む。視角が制御されたデバイスが、上記液晶ディスプレイの上に配置される。視角が制御されたデバイスは、上記ディスプレイデバイスの外周のうちの少なくとも一部のまわりでの、上記液晶ディスプレイが視覚され得る角度を制限するように構成されている。
【００１０】
本発明のさらに別の実施形態によれば、売り場専用の取引端末が提供される。上記売り場専用の取引端末は、コンピュータデバイスと、上記コンピュータデバイスに動作可能なように連結されたディスプレイアセンブリとを含む。上記ディスプレイアセンブリは、ディスプレイアセンブリにタッチすることにより、上記コンピュータデバイスへのデータの入力が可能となるように構成されている。上記ディスプレイアセンブリは、さらに、ディスプレイアセンブリが視覚され得る角度を、限定された範囲の視角に制限するようにも構成されている。
【００１１】
本発明のなおも別の実施形態によれば、売り場専用端末のディスプレイアセンブリを製造する方法が提供される。上記方法は、液晶ディスプレイを提供するステップと、上記液晶ディスプレイの上にタッチスクリーンを配置するステップとを含む。視角が制御されたデバイスが、上記液晶ディスプレイの上に配置される。視角が制限されたデバイスは、液晶ディスプレイが視覚され得る角度を、限定された範囲の視角に制限する。
【００１２】
本発明は、以下に続く図面とあわせて以下で記述され、同じ番号が同じ要素を参照する。
【発明を実施するための最良の形態】
【００１３】
（本発明の詳細な記述）
以下に続く本発明に関する詳細な記述は、事実上、例示のためのものであり、本発明または出願、あるいは、本発明の使用を制限することを意図したものではない。さらに、本発明に関する上述の背景、または、本発明に関する以下に続く詳細な記述において示された、いかなる見解によっても、拘束されることを意図していない。
【００１４】
本発明の様々な実施形態は、ディスプレイが視覚され得る視角を制御または制限する、ＰＯＳ取引端末のディスプレイに関係する。図４は、本発明の様々な実施形態のいずれにも関連した、視角が制御されたディスプレイ４０２を有するＰＯＳ端末４００を示している。観察者４０４は、視角が制御されたディスプレイに対し、図３を参照して上記で述べられた位置角βのうちの任意の位置角に位置し、視野方向４０６に沿って、ディスプレイ４０２を視覚することが可能であり得る。観察者の視野方向４０６は、ディスプレイ４０２の平面から測定して視野角αの位置にある。以下でさらに詳細に述べられるように、視角が制御されたディスプレイ４０２は、観察者４０４がディスプレイ４０２を視覚し得る視角αを、制御また限定し得る。
【００１５】
図５は、本発明のある実施形態によるＰＯＳ取引端末に関する視角が制御されたディスプレイ５００についての分解立体図である。視角が制御されたディスプレイ５００は、ＬＣＤ５０２を含む。ＬＣＤ５０２は、支払い取引業界において既知な任意の適切なＬＣＤデバイスを含み得る。ＬＣＤ５０２は、好ましくは、実質的に均一な厚さを有し、任意の適切な形状を有し得る。例示的な実施形態の一つにおいて、ＬＣＤ５０２は、少なくとも１つの前面部または前方向境界面（ｆｒｏｎｔ  ｂｏｕｎｄａｒｙ）５０１と、少なくとも２つの側面または横方向境界面（ｓｉｄｅ  ｂｏｕｎｄａｒｙ）５０８と、少なくとも１つの背面または後方向境界面（ｂａｃｋ  ｂｏｕｎｄａｒｙ）５１２とを有し得る。視角が制御されたディスプレイ５００はまた、ＬＣＤ５０２の上にあるタッチスクリーン５０４をも含み得る。タッチスクリーン５０４は、例えば４線式抵抗タッチスクリーン、５線式抵抗タッチスクリーン、容量式タッチスクリーン、および、超音波式タッチスクリーンのような、業界においては既知な、任意の適切な圧力感知またはタッチ感知のパッドまたはフィルムを含み得る。業界において入手可能なタッチスクリーンは、例として、日本国、京都市のＮｉｓｓｈａ  Ｃｏｍｐａｎｙによって製造された、Ｆｉｎｅ  Ｔｏｕｃｈ（登録商標）タッチスクリーンと、韓国、京畿道のＩＴＭ，Ｉｎｃによって製造された、４線式および５線式のタッチスクリーンと、Ｃａｌｉｆｏｒｎｉａ，Ｓａｎ  ＪｏｓｅのＳｙｎａｐｔｉｃｓ，Ｉｎｃから入手可能な、Ｔｏｕｃｈ  Ｐａｄ（登録商標）のような、容量式および抵抗式のタッチスクリーンとを含み得る。
【００１６】
視角が制御されたディスプレイ５００は、さらに、視角が制御されたデバイス５０６をも含む。視角が制御されたデバイス５０６は、図５に示されているように、ＬＣＤ５０２とタッチスクリーン５０４との間に置かれ得るか、あるいは、代替的に、タッチスクリーン５０４の上に置かれ得る。視角が制御されたデバイス５０６は、フィルム、層、または、その他の仕組みのうち、任意の適切なタイプを含み得る。その他の仕組みとは、視角が制御されたディスプレイ５００の外周のまわりに見物人が位置しているとき、上記見物人によって、ＬＣＤ５０２が、また、それにより、視角が制御されたディスプレイ５００が視覚され得るような、視角の範囲を制限する仕組みである。例示的な実施形態の一つによれば、視角が制御されたデバイス５０６は、ＬＣＤ５０２の側面５０８のうちの一つの近くから、視角が制御されたディスプレイ５００が視覚されたときに、視角を、限定された範囲に制限し得る。本発明の別の実施形態において、視角が制御されたデバイス５０６は、ＬＣＤ５０２の背面５１２の近くから、視角が制御されたディスプレイ５００が視覚されたときに、ＬＣＤ５０２が視覚され得る視角の範囲を、限定された範囲に制限し得る。さらに、好ましくは、本発明の例示的な実施形態においては、視角が制御されたデバイス５０６は、ＬＣＤ５０２の側面５０８のうちの一つの近く、および、背面５１２のうちの一つの近くから、視角が制御されたディスプレイ５００が視覚された場合に、ＬＣＤ５０２が視覚され得る視角を、限定された範囲に制限し得る。
【００１７】
本発明の例示的な実施形態の一つにおいて、視角が制御されたデバイス５０６は、調光フィルムを含み得る。上記調光フィルムは、ＬＣＤ５０２とタッチスクリーン５０４との間に置かれ、タッチスクリーン５０４の操作を妨げないようなものであり得る。フィルム、または、視角が制御されたフィルムを形成するのに適切な材料の例は、Ｍｉｎｎｅｓｏｔａ，Ｓｔ．Ｐａｕｌの、３Ｍ  Ｃｏｒｐｏｒａｔｉｏｎによって製造された、Ｖｉｋｕｉｔｉ（登録商標）調光フィルムと、英国、Ｗｅｓｔ  ＭｉｄｌａｎｄｓのＶｉｓｉｏｎ  Ｔｅｋ  Ｓｙｓｔｅｍｓ，ＬＴＤから入手可能な調光フィルム、または、ぼかしフィルム（ｂｌｕｒ  ｆｉｌｍ）とを含むが、それらには制限されない。
【００１８】
本発明の別の実施形態において、視角が制御されたデバイス５０６は、タッチスクリーン５０４の上に配置されたハーフミラー塗工を備える。視角が制御されたデバイス５０６を形成するのに適切であり得るハーフミラー塗工の例は、韓国、京畿道のＩＴＭ，Ｉｎｃから入手可能なハーフミラー塗工を含むが、これに限定されない。
【００１９】
視角が制御されたデバイス５０６は、ＬＣＤ５０２が視覚され得る角度の範囲を限定または制御するのに適切な任意の厚さ５１４を有し得る。本発明の別の実施形態において、視角が制御されたデバイス５０６は、少なくともＬＣＤ５０２の幅または長さよりも大きな、幅５１６と長さ５１８とを有し得る。本発明の好ましい実施形態において、視角が制御されたデバイス５０６は、ＬＣＤ５０２の幅または長さとほぼ同一な幅５１６と長さ５１８とを有する。
【００２０】
ＬＣＤ５０２、視角が制御されたデバイス５０６、および／または、タッチスクリーン５０４は、任意の適切な化学的または機械的な方法を用いて組み合わされ得る。例えば、例示的な実施形態の一つにおいて、ＬＣＤ５０２、視角が制御されたデバイス５０６、タッチスクリーン５０４は、図５に示されているように適切に整列させられ、ねじ、ブラケット、クランプ等のような留め具によって、各々に対する運動が限定され得る。別の実施形態において、ＬＣＤ５０２、および／または、タッチスクリーン５０４は、適切な接着剤または接着テープを用いて、視角が制御されたデバイス５０６に取り付けられ得る。本発明のさらに別の例示的な実施形態において、視角が制御されたデバイス５０６は、塗工（例えばハーフミラー塗工）され、ＬＣＤ５０２、および／または、タッチスクリーン５０４の上に配置され得る。さらに、視角が制御されたデバイス５０６はＬＣＤ５０２、タッチスクリーン５０４と分離して示されてはいるが、視角が制御されたデバイス５０６がＬＣＤ５０２、または、タッチスクリーン５０４の一部と統合され得ることも理解され得る。
【００２１】
上述のように、視角が制御されたデバイス５０６は、ＰＯＳ端末に対する見物人の位置に依存し、見物人がＬＣＤ５０２を視覚し得る角度の範囲を、限定または制限し得る。図６を参照する。見物人６０２は、本発明の様々な実施形態による視角が制御されたディスプレイ６０４を有したＰＯＳ端末６００の外周のまわりに位置し得る。図６に示されているように、ＰＯＳ端末６００の外周に沿うポイント、またこれにより、視角が制御されたディスプレイ６０４に沿うポイントは、位置角βとして測定され得る。位置角βは、ディスプレイ６０４の平面において測定され得る。ディスプレイ６０４の平面は、図６ではｘ−ｙ平面として図示されている。位置角βは、ディスプレイ６０４の平面に垂直な軸のまわりで測定され得る。上記の軸は、ｚ−軸として図示され得る。位置角βは、位置β＝０から測定される。位置β＝０は、視角が制御されたディスプレイ６０４の「５」のキーと「８」のキーとに交差する軸に沿って位置している。見物人６０２は、ディスプレイ６０４から視角αの位置にある視野方向６０６に沿って、ディスプレイ６０４を視覚し得る。
【００２２】
好ましくは、見物人が約３１５°≦β≦４５°の範囲の位置角に位置しているとき、すなわち、見物人がディスプレイ６０４の前面部または表面の近くから画面６０４を視覚しているとき、視角は限定されない。言い換えると、このとき、見物人は、０°≦α≦９０°の範囲の任意の視角でディスプレイ６０４を視覚し得る。しかしながら、見物人が約３１５°≦β≦４５°の範囲の位置角に位置しているとき、任意の適切な範囲に視角が限定され得ることが理解され得る。本発明の一実施形態において、約４５°≦β≦３１５°の範囲の位置角に見物人が位置する場合、見物人の視角は、約２５°≦α≦９０°の範囲に限定され得る。本発明のさらに好ましい実施形態において、約４５°≦β≦３１５°の範囲の位置角に見物人が位置している場合、見物人の視角は、約３５°≦α≦９０°の範囲に限定され得る。本発明のさらに好ましい実施形態において、約４５°≦β≦９０°の範囲、または、約２７０°≦β≦３１５°の範囲の位置角に見物人が位置している場合、見物人の視角は、約３５°≦α≦９０°の範囲に限定され得、約９０°≦β≦２７０°の範囲の位置角に見物人が位置している場合、見物人の視角は、約４０°≦α≦９０°の範囲に限定され得る。
【００２３】
本発明に関する上述の記述において、少なくとも１つの例示的な実施形態が提示されたが、膨大なバリエーションが存在することが理解され得る。例示的な（複数の）実施形態が例示のためだけのものであり、本発明の範囲、適用性、または、構成を多少なりとも制限することを意図していないことも理解され得る。むしろ、上述の詳細な記述は、当業者に対し、本発明の例示的な実施形態を実施する際に便利なロードマップを提供し得る。添付の請求項において述べられている本発明の範囲から逸れずに、例示的な実施形態において記述された要素に関する機能または配置についての様々な変更が、実行され得ることが理解され得る。
【図面の簡単な説明】
【００２４】
【図１】図１は、従来のＰＯＳ取引端末のスキーム図である。
【図２】図２は、従来の別のＰＯＳ取引端末のスキーム図である。
【図３】図３は、図２のＰＯＳ取引端末の外周のまわりで観察者が取り得る位置を示した図である。
【図４】図４は、ＰＯＳ取引端末の観察者の視角について、ＰＯＳ取引端末のディスプレイの平面と関連して示した図である。
【図５】図５は、本発明の例示的な実施形態によるディスプレイアセンブリについての、分解立体図である。
【図６】図６は、本発明の様々な実施形態によるＰＯＳ取引端末の外周のまわりでの観察者の様々な位置に関連した、観察者の視角を示す図である。
【図１】
2007516479.tif 000003
【図２】
2007516479.tif 000004
【図３】
2007516479.tif 000005
【図４】
2007516479.tif 000006
【図５】
2007516479.tif 000007
【図６】
2007516479.tif 000008
【国際調査報告】
2007516479.tif 000009
2007516479.tif 000010
2007516479.tif 000011